(57)【特許請求の範囲】
【請求項１】
股間部と、股間部の後側に延在する後側部分とを有しており、
前記股間部から前記後側部分にかけて、尿を吸収する吸収体を備えた、使い捨ておむつにおいて、
前記吸収体は、少なくとも股間部の幅方向中央部に、厚み方向に貫通する貫通部及び薄手部の少なくとも一方からなる表面窪み形成領域を有しており、
前記表面窪み形成領域は、前後方向に延在する細長状の第１窪み形成部と、この第１窪み形成部における前後方向中間位置又は後側位置の幅方向両側に張り出した第２窪み形成部とを有しており、
前記第２窪み形成部は前記薄手部であり、前記第１窪み形成部は厚み方向に貫通する貫通部又は前記第２窪み形成部よりも薄い薄手部であり、
前記表面窪み形成領域の側方から突出する突出部分が前後方向に延在されるとともに、この突出部分の前側及び後側に位置する部分がそれぞれ倒伏状態で固定された非起立部とされ、これら非起立部間の部分が非固定の起立部とされ、且つこの起立部にギャザー弾性伸縮部材が前後方向に伸長した状態で固定された股間部立体ギャザーが、表面の幅方向両側に設けられており、
前記第２窪み形成部は、前後方向において前記股間部立体ギャザーの非起立部間に位置している、
ことを特徴とする使い捨ておむつ。
【請求項２】
前記吸収体は一層構造のものである、請求項１記載の使い捨ておむつ。
【請求項３】
股間部と、股間部の後側に延在する後側部分とを有しており、
前記股間部から前記後側部分にかけて、尿を吸収する吸収体を備えた、使い捨ておむつにおいて、
前記吸収体として、下層吸収体と、下層吸収体の上に設けられた上層吸収体とを備えており、
前記下層吸収体には、少なくとも股間部の幅方向中央部に、厚み方向に貫通する細長状の下層貫通部が前後方向に沿って延在されており、
前記上層吸収体には、少なくとも前記下層貫通部と対応する前後方向範囲内に、厚み方向に貫通する上層貫通部が設けられており、
前記上層貫通部は、前記下層貫通部上に位置し前後方向に延在する細長状の中間部分と、この中間部分における前後方向中間位置又は後側位置の幅方向両側に張り出した張出部分とを有しており、
前記上層貫通部の側方から突出する突出部分が前後方向に延在されるとともに、この突出部分の前側及び後側に位置する部分がそれぞれ倒伏状態で固定された非起立部とされ、これら非起立部間の部分が非固定の起立部とされ、且つこの起立部にギャザー弾性伸縮部材が前後方向に伸長した状態で固定された股間部立体ギャザーが、表面の幅方向両側に設けられており、
前記張出部分は、前後方向において前記股間部立体ギャザーの非起立部間に位置している、
ことを特徴とする使い捨ておむつ。
【請求項４】
前記下層貫通部の底に、前後方向の尿の拡散を促進する拡散シートを備えた、請求項３記載の使い捨ておむつ。
【請求項５】
股間部と、股間部の後側に延在する後側部分とを有しており、
前記股間部から前記後側部分にかけて、尿を吸収する吸収体を備えた、使い捨ておむつにおいて、
前記吸収体として、下層吸収体と、下層吸収体の上に設けられた上層吸収体とを備えており、
前記下層吸収体には、少なくとも股間部の幅方向中央部に、細長状の下層薄手部が前後方向に沿って延在されており、
前記上層吸収体には、少なくとも前記下層薄手部と対応する前後方向範囲内に、厚み方向に貫通する上層貫通部が設けられており、
前記上層貫通部は、前記下層薄手部上に位置し前後方向に延在する細長状の中間部分と、この中間部分における前後方向中間位置又は後側位置の幅方向両側に張り出した張出部分とを有しており、
前記上層貫通部の側方から突出する突出部分が前後方向に延在されるとともに、この突出部分の前側及び後側に位置する部分がそれぞれ倒伏状態で固定された非起立部とされ、これら非起立部間の部分が非固定の起立部とされ、且つこの起立部にギャザー弾性伸縮部材が前後方向に伸長した状態で固定された股間部立体ギャザーが、表面の幅方向両側に設けられており、
前記張出部分は、前後方向において前記股間部立体ギャザーの非起立部間に位置している、
ことを特徴とする使い捨ておむつ。
【請求項６】
股間部と、股間部の後側に延在する後側部分とを有しており、
前記股間部から前記後側部分にかけて、尿を吸収する吸収体を備えた、使い捨ておむつにおいて、
前記吸収体として、上層吸収体と、上層吸収体の下に設けられた下層吸収体とを備えており、
前記上層吸収体には、少なくとも股間部の幅方向中央部に、厚み方向に貫通する細長状の上層貫通部又は上層薄手部が前後方向に沿って延在されており、
前記下層吸収体には、少なくとも前記上層貫通部又は上層薄手部と対応する前後方向範囲内に、厚み方向に貫通する下層貫通部が設けられており、
前記下層貫通部は、前記上層貫通部又は上層薄手部下に位置し前後方向に延在する細長状の中間部分と、この中間部分における前後方向中間位置又は後側位置の幅方向両側に張り出した張出部分とを有しており、
前記下層貫通部の側方から突出する突出部分が前後方向に延在されるとともに、この突出部分の前側及び後側に位置する部分がそれぞれ倒伏状態で固定された非起立部とされ、これら非起立部間の部分が非固定の起立部とされ、且つこの起立部にギャザー弾性伸縮部材が前後方向に伸長した状態で固定された股間部立体ギャザーが、表面の幅方向両側に設けられており、
前記張出部分は、前後方向において前記股間部立体ギャザーの非起立部間に位置している、
ことを特徴とする使い捨ておむつ。
【請求項７】
前記張出部分の側縁は、少なくとも前側の一部が後側に向かうにつれて幅方向外側に位置する形状とされている、請求項３〜６のいずれか１項に記載の使い捨ておむつ。
【請求項８】
前記張出部分は、中間部分との境界を下底とする台形状をなしている、請求項３〜７のいずれか１項に記載の使い捨ておむつ。
【発明の詳細な説明】
【技術分野】
【０００１】
本発明は、漏れ防止性能に優れる使い捨ておむつに関するものである。
【背景技術】
【０００２】
使い捨ておむつにおける漏れの形態は千差万別であるが、その中の一つの形態として、装着者が男性の場合における尿の前漏れ（使い捨ておむつの前側からの漏れ。以下、男性前漏れともいう。）がある。男性前漏れは、装着者が女性である場合には発生しないのに、装着者が男性であるとその他は同じ条件でも発生するものであり、その原因は、特許文献１，２に示されるように、排尿位置よりも後方に位置する陰嚢が使い捨ておむつ表面に密着して隙間が極端に少なくなることにより、尿の後方移動が阻害されることである、というものであった。
【０００３】
また、本発明者のその後の研究により、男女を問わず、１回の排尿量が多い場合や少量でも複数回の排尿があった場合は、尿の吸収が間にあわずに使い捨ておむつ表面を尿が移動する状態が長く続くのに反して、使い捨ておむつの股間部表面と身体表面との隙間（以下、単に表面間隙ともいう）が少ないため、尿が後方へ拡散し難くなり、隙間が発生し易い脚の付け根付近から漏れ易い傾向があることも判明した。
【先行技術文献】
【特許文献】
【０００４】
【特許文献１】特開２０１３−１３５７１６号公報
【特許文献２】特開２０１３−１３５７１７号公報
【特許文献３】特開２０１１−１０４０２１号公報
【特許文献４】特開２０１１−１２５５３７号公報
【発明の概要】
【発明が解決しようとする課題】
【０００５】
このような表面間隙の少なさに起因する漏れの解決手段として、本出願人による特許文献１，２記載の提案は男女を問わず有効なものであるが、特許文献１記載のものは表面間隙を形成する窪みの形状維持性の点で、また特許文献２記載のものは製造容易性の点でそれぞれ改善の余地があった。
【０００６】
そこで、本発明の主たる課題は、表面間隙の維持性に優れ、製造も容易である使い捨ておむつを提供することにある。
【課題を解決するための手段】
【０００７】
上記課題を解決した本発明は、以下のとおりである。
＜請求項１記載の発明＞
股間部と、股間部の後側に延在する後側部分とを有しており、
前記股間部から前記後側部分にかけて、尿を吸収する吸収体を備えた、使い捨ておむつにおいて、
前記吸収体は、少なくとも股間部の幅方向中央部に、厚み方向に貫通する貫通部及び薄手部の少なくとも一方からなる表面窪み形成領域を有しており、
前記表面窪み形成領域は、前後方向に延在する細長状の第１窪み形成部と、この第１窪み形成部における前後方向中間位置又は後側位置の幅方向両側に張り出した第２窪み形成部とを有しており、
前記第２窪み形成部は前記薄手部であり、前記第１窪み形成部は厚み方向に貫通する貫通部又は前記第２窪み形成部よりも薄い薄手部であり、
前記表面窪み形成領域の側方から突出する突出部分が前後方向に延在されるとともに、この突出部分の前側及び後側に位置する部分がそれぞれ倒伏状態で固定された非起立部とされ、これら非起立部間の部分が非固定の起立部とされ、且つこの起立部にギャザー弾性伸縮部材が前後方向に伸長した状態で固定された股間部立体ギャザーが、表面の幅方向両側に設けられており、
前記第２窪み形成部は、前後方向において前記股間部立体ギャザーの非起立部間に位置している、
ことを特徴とする使い捨ておむつ。
【０００８】
（作用効果）
本項記載の発明では、装着状態で使い捨ておむつが両脚間に挟まれて幅方向に圧縮された状態になると、表面窪み形成領域が幅方向中央から順におむつの外側に押し出されるように変形しつつ、おむつの表面に窪みが形成される。このとき、表面窪み形成領域のうち第１窪み形成部のみからなる部分よりも、第１窪み形成部及び第２窪み形成部からなる部分の方が第２窪み形成部の分だけ幅が広いために、より幅の広い窪みが形成される。しかも、この幅の広い窪み部分は薄手部によりある程度の剛性が確保されるため、窪みの形状及びの深さの維持性、ひいては表面間隙の維持性に優れるようになる。排尿時には、当該窪み領域及びその前側に排泄された尿のうち吸収されずに表面を移動する分は、この大きな表面間隙を流路として後側に流れ、その過程で後側の吸収体により吸収される。よって、従来問題となっていた表面間隙の少なさによる拡散阻害を効果的に防止することができる。なお、吸収体に前後方向スリットを設けて前後方向の拡散性を向上させることは知られているが、本発明はそのような周知の拡散向上技術と比べて次元の違う効果がある。
【０００９】
＜請求項２記載の発明＞
前記吸収体は一層構造のものである、請求項１記載の使い捨ておむつ。
【００１０】
（作用効果）
吸収体が一層構造であっても、本発明の表面窪み形成領域を設けることで、前述の効果が奏せられる。
【００１１】
【００１２】
【００１３】
＜請求項３記載の発明＞
股間部と、股間部の後側に延在する後側部分とを有しており、
前記股間部から前記後側部分にかけて、尿を吸収する吸収体を備えた、使い捨ておむつにおいて、
前記吸収体として、下層吸収体と、下層吸収体の上に設けられた上層吸収体とを備えており、
前記下層吸収体には、少なくとも股間部の幅方向中央部に、厚み方向に貫通する細長状の下層貫通部が前後方向に沿って延在されており、
前記上層吸収体には、少なくとも前記下層貫通部と対応する前後方向範囲内に、厚み方向に貫通する上層貫通部が設けられており、
前記上層貫通部は、前記下層貫通部上に位置し前後方向に延在する細長状の中間部分と、この中間部分における前後方向中間位置又は後側位置の幅方向両側に張り出した張出部分とを有しており、
前記上層貫通部の側方から突出する突出部分が前後方向に延在されるとともに、この突出部分の前側及び後側に位置する部分がそれぞれ倒伏状態で固定された非起立部とされ、これら非起立部間の部分が非固定の起立部とされ、且つこの起立部にギャザー弾性伸縮部材が前後方向に伸長した状態で固定された股間部立体ギャザーが、表面の幅方向両側に設けられており、
前記張出部分は、前後方向において前記股間部立体ギャザーの非起立部間に位置している、
ことを特徴とする使い捨ておむつ。
【００１４】
（作用効果）
本項記載の発明は、吸収体を二層構造とした場合の応用形態に関するものである。本項記載のような二層構造の吸収体では、下層貫通部及び上層貫通部の中間部分の重なり部分には吸収体が無く、上層貫通部の張出部分の部位は下層吸収体の一層構造となり、上層貫通部の張出部分の外側は上層吸収体及び下層吸収体の二層構造となる。装着状態で使い捨ておむつが両脚間に挟まれて幅方向に圧縮されたときには、下層貫通部及び上層貫通部の中間部分の重なり部分には吸収体が無いため、各貫通部の両側縁は圧縮量に応じて接近する。このとき、上層貫通部の張出部分に位置する一層構造部分にも互いに接近する方向に力が作用するものの、一層構造部分が二層構造部分との境界である上層貫通部の張出部分の側縁に沿って裏側に折れ曲がり易いことによって、一層構造部分はその幅方向外側の二層構造部分に対して裏側に折れ曲がり、これに伴い一層構造部分の間の無吸収体部分が裏側に向かって落ち込み、使い捨ておむつの表面に幅の広い窪みが形成される。
そして、このような窪みは幅方向の圧縮に対して復元し易いだけでなく、裏側に折れ曲がった一層構造部分が壁となって窪みの深さが維持されるため、窪みの維持性、ひいては表面間隙の維持性に優れる。したがって、本項記載の発明においても、排尿時には、当該窪み領域の前側に排泄された尿のうち吸収されずに表面を移動する分は、この大きな表面間隙を流路として後側に流れ、その過程で後側の吸収体により吸収される。よって、従来問題となっていた表面間隙の少なさによる拡散阻害を効果的に防止することができる。なお、吸収体に前後方向スリットを設けて前後方向の拡散性を向上させることは知られているが、本発明はそのような周知の拡散向上技術と比べて次元の違う効果がある。
さらに、吸収体を二層構造とすることや、それぞれに厚み方向の貫通部を設けることは製造技術として確立されているため、その形状や位置関係を変更するだけで容易に製造できる。
また、このような股間部立体ギャザーを有することにより、股間部立体ギャザーのギャザー弾性伸縮部材の収縮力が一層構造部分に効果的に作用し、前述の窪みの形成が促進され、また窪みの形状維持性が向上する。さらに、上層貫通部の張出部分に位置する一層構造部分は窪みの壁となる部分であり、その間の部分を含めて吸収体の吸収量が少なく、尿が移動し易い部分であるため、その両側に股間部立体ギャザーを設けることにより、いわゆる横漏れ防止も図られる。
【００１５】
【００１６】
【００１７】
＜請求項４記載の発明＞
前記下層貫通部の底に、前後方向の尿の拡散を促進する拡散シートを備えた、請求項３記載の使い捨ておむつ。
【００１８】
（作用効果）
このような拡散シートを備えることにより、下層貫通部を通じた前後方向の尿の拡散が促進されるようになる。
【００１９】
＜請求項５記載の発明＞
股間部と、股間部の後側に延在する後側部分とを有しており、
前記股間部から前記後側部分にかけて、尿を吸収する吸収体を備えた、使い捨ておむつにおいて、
前記吸収体として、下層吸収体と、下層吸収体の上に設けられた上層吸収体とを備えており、
前記下層吸収体には、少なくとも股間部の幅方向中央部に、細長状の下層薄手部が前後方向に沿って延在されており、
前記上層吸収体には、少なくとも前記下層薄手部と対応する前後方向範囲内に、厚み方向に貫通する上層貫通部が設けられており、
前記上層貫通部は、前記下層薄手部上に位置し前後方向に延在する細長状の中間部分と、この中間部分における前後方向中間位置又は後側位置の幅方向両側に張り出した張出部分とを有しており、
前記上層貫通部の側方から突出する突出部分が前後方向に延在されるとともに、この突出部分の前側及び後側に位置する部分がそれぞれ倒伏状態で固定された非起立部とされ、これら非起立部間の部分が非固定の起立部とされ、且つこの起立部にギャザー弾性伸縮部材が前後方向に伸長した状態で固定された股間部立体ギャザーが、表面の幅方向両側に設けられており、
前記張出部分は、前後方向において前記股間部立体ギャザーの非起立部間に位置している、
ことを特徴とする使い捨ておむつ。
【００２０】
（作用効果）
請求項３記載の発明における下層吸収体の貫通部に代えて、本項記載のように薄手部を採用しても同様の利点がもたらされる。すなわち、本項記載のような二層構造の吸収体では、下層薄手部及び上層貫通部の中間部分の重なり部分は下層薄手部の一層構造となり、上層貫通部の張出部分の部位は下層吸収体の薄手部以外の一層構造となり、上層貫通部の張出部分の外側は上層吸収体及び下層吸収体の二層構造となる。装着状態で使い捨ておむつが両脚間に挟まれて幅方向に圧縮されたときには、上層貫通部の張出部分に位置する一層構造部分にも互いに接近する方向に力が作用するものの、当該一層構造部分が二層構造部分との境界である上層貫通部の張出部分の側縁に沿って裏側に折れ曲がり易いことによって、当該一層構造部分はその幅方向外側の二層構造部分に対して裏側に折れ曲がり、これに伴い当該一層構造部分の間の部分が裏側に向かって落ち込み、使い捨ておむつの表面に幅の広い窪みが形成される。
そして、このような窪みは幅方向の圧縮に対して復元し易いだけでなく、裏側に折れ曲がった一層構造部分が壁となって窪みの深さが維持されるため、窪みの維持性、ひいては表面間隙の維持性に優れる。したがって、本項記載の発明においても、排尿時には、当該窪み領域の前側に排泄された尿のうち吸収されずに表面を移動する分は、この大きな表面間隙を流路として後側に流れ、その過程で後側の吸収体により吸収される。よって、従来問題となっていた表面間隙の少なさによる拡散阻害を効果的に防止することができる。なお、吸収体に前後方向スリットを設けて前後方向の拡散性を向上させることは知られているが、本発明はそのような周知の拡散向上技術と比べて次元の違う効果がある。
さらに、吸収体を二層構造とすることや、それぞれに厚み方向の貫通部を設けることは製造技術として確立されているため、その形状や位置関係を変更するだけで容易に製造できる。
また、このような股間部立体ギャザーを有することにより、股間部立体ギャザーのギャザー弾性伸縮部材の収縮力が一層構造部分に効果的に作用し、前述の窪みの形成が促進され、また窪みの形状維持性が向上する。さらに、上層貫通部の張出部分に位置する一層構造部分は窪みの壁となる部分であり、その間の部分を含めて吸収体の吸収量が少なく、尿が移動し易い部分であるため、その両側に股間部立体ギャザーを設けることにより、いわゆる横漏れ防止も図られる。
【００２１】
【００２２】
【００２３】
【００２４】
【００２５】
＜請求項６記載の発明＞
股間部と、股間部の後側に延在する後側部分とを有しており、
前記股間部から前記後側部分にかけて、尿を吸収する吸収体を備えた、使い捨ておむつにおいて、
前記吸収体として、上層吸収体と、上層吸収体の下に設けられた下層吸収体とを備えており、
前記上層吸収体には、少なくとも股間部の幅方向中央部に、厚み方向に貫通する細長状の上層貫通部又は上層薄手部が前後方向に沿って延在されており、
前記下層吸収体には、少なくとも前記上層貫通部又は上層薄手部と対応する前後方向範囲内に、厚み方向に貫通する下層貫通部が設けられており、
前記下層貫通部は、前記上層貫通部又は上層薄手部下に位置し前後方向に延在する細長状の中間部分と、この中間部分における前後方向中間位置又は後側位置の幅方向両側に張り出した張出部分とを有しており、
前記下層貫通部の側方から突出する突出部分が前後方向に延在されるとともに、この突出部分の前側及び後側に位置する部分がそれぞれ倒伏状態で固定された非起立部とされ、これら非起立部間の部分が非固定の起立部とされ、且つこの起立部にギャザー弾性伸縮部材が前後方向に伸長した状態で固定された股間部立体ギャザーが、表面の幅方向両側に設けられており、
前記張出部分は、前後方向において前記股間部立体ギャザーの非起立部間に位置している、
ことを特徴とする使い捨ておむつ。
【００２６】
（作用効果）
請求項３記載の上層貫通部及び下層貫通部の形状、及び請求項５記載の上層貫通部及び下層薄手部の形状を、本項記載のように上下逆にしても同様の利点がもたらされる。すなわち、本項記載のような二層構造の吸収体では、上層貫通部又は上層薄手部と下層貫通部の中間部分との重なり部分は吸収体が無いか又は上層薄手部の一層構造となり、下層貫通部の張出部分の部位は上層吸収体の一層構造又は上層吸収体の薄手部以外の一層構造となり、下層貫通部の張出部分の外側は下層吸収体及び上層吸収体の二層構造となる。装着状態で使い捨ておむつが両脚間に挟まれて幅方向に圧縮されたときには、下層貫通部の張出部分に位置する一層構造部分にも互いに接近する方向に力が作用するものの、当該一層構造部分が二層構造部分との境界である下層貫通部の張出部分の側縁に沿って裏側に折れ曲がり易いことによって、当該一層構造部分はその幅方向外側の二層構造部分に対して裏側に折れ曲がり、これに伴い当該一層構造部分の間の部分が裏側に向かって落ち込み、使い捨ておむつの表面に幅の広い窪みが形成される。
そして、このような窪みは幅方向の圧縮に対して復元し易いだけでなく、裏側に折れ曲がった一層構造部分が壁となって窪みの深さが維持されるため、窪みの維持性、ひいては表面間隙の維持性に優れる。したがって、本項記載の発明においても、排尿時には、当該窪み領域の前側に排泄された尿のうち吸収されずに表面を移動する分は、この大きな表面間隙を流路として後側に流れ、その過程で後側の吸収体により吸収される。よって、従来問題となっていた表面間隙の少なさによる拡散阻害を効果的に防止することができる。なお、吸収体に前後方向スリットを設けて前後方向の拡散性を向上させることは知られているが、本発明はそのような周知の拡散向上技術と比べて次元の違う効果がある。
さらに、吸収体を二層構造とすることや、それぞれに厚み方向の貫通部を設けることは製造技術として確立されているため、その形状や位置関係を変更するだけで容易に製造できる。
【００２７】
【００２８】
また、このような股間部立体ギャザーを有することにより、股間部立体ギャザーのギャザー弾性伸縮部材の収縮力が一層構造部分に効果的に作用し、前述の窪みの形成が促進され、また窪みの形状維持性が向上する。さらに、下層貫通部の張出部分に位置する一層構造部分は窪みの壁となる部分であり、その間の部分を含めて吸収体の吸収量が少なく、尿が移動し易い部分であるため、その両側に股間部立体ギャザーを設けることにより、いわゆる横漏れ防止も図られる。
【００２９】
【００３０】
【００３１】
＜請求項７記載の発明＞
前記張出部分の側縁は、少なくとも前側の一部が後側に向かうにつれて幅方向外側に位置する形状とされている、請求項３〜６のいずれか１項に記載の使い捨ておむつ。
【００３２】
（作用効果）
張出部分の側縁は少なくとも前側の一部が後側に向かうにつれて幅方向外側に位置する形状（つまり右側については右斜め後ろ向き、左側については左斜め後ろ向き）とされていると、張出部分に位置する一層構造部分の幅が後側に向かうにつれて拡大することによって、当該一層構造部分は後側に向かうにつれて徐々にその幅方向外側の二層構造部分に対して裏側に折れ曲がり、これに伴い当該一層構造部分の間の無吸収体部分が裏側に向かって落ち込み、使い捨ておむつの表面にほぼ舟形の窪みが形成される。このような舟形の窪みは幅方向の圧縮に対して復元し易いだけでなく、裏側に折れ曲がった一層構造部分が壁となって窪みの深さが維持されるため、舟形窪みの維持性、ひいては表面間隙の維持性に優れる。
【００３３】
＜請求項８記載の発明＞
前記張出部分は、中間部分との境界を下底とする台形状をなしている、請求項３〜７のいずれか１項に記載の使い捨ておむつ。
【００３４】
（作用効果）
張出部分がこのような形状であると、製造が容易であるため好ましい。
【発明の効果】
【００３５】
以上のとおり本発明によれば、表面間隙の維持性に優れ、製造も容易となる等の利点がもたらされる。
【図面の簡単な説明】
【００３６】
【図１】パッドタイプ使い捨ておむつの展開状態の内面側を示す平面図である。
【図２】（ａ）下層吸収体、（ｂ）上層吸収体、（ｃ）下層吸収体及び上層吸収体の積層状態をそれぞれ示す平面図である。
【図３】図１のＹ−Ｙ断面図である。
【図４】（ａ）図１のＺ−Ｚ断面図、（ｂ）Ｘ−Ｘ断面図である。
【図５】斜視図である。
【図６】装着状態の斜視図である。
【図７】装着前及び装着後の状態の変化を示す概略断面図である。
【図８】サンプルの写真である。
【図９】装着前及び装着後の状態の変化を示す概略断面図である。
【図１０】上層貫通部の各種形状を示す要部平面図である。
【図１１】（ａ）下層吸収体、（ｂ）上層吸収体、（ｃ）下層吸収体及び上層吸収体の積層状態をそれぞれ示す平面図である。
【図１２】（ａ）図１のＺ−Ｚ断面に相当する断面図、（ｂ）Ｘ−Ｘ断面に相当する図である。
【図１３】各種の上層吸収体の平面図である。
【図１４】（ａ）下層吸収体、（ｂ）上層吸収体、（ｃ）下層吸収体及び上層吸収体の積層状態をそれぞれ示す平面図である。
【図１５】（ａ）図１のＺ−Ｚ断面に相当する断面図、（ｂ）Ｘ−Ｘ断面に相当する図である。
【図１６】装着前及び装着後の状態の変化を示す概略断面図である。
【図１７】（ａ）下層吸収体、（ｂ）上層吸収体、（ｃ）下層吸収体及び上層吸収体の積層状態をそれぞれ示す平面図である。
【図１８】（ａ）図１のＺ−Ｚ断面に相当する断面図、（ｂ）Ｘ−Ｘ断面に相当する図である。
【図１９】装着前及び装着後の状態の変化を示す概略断面図である。
【図２０】（ａ）下層吸収体、（ｂ）上層吸収体、（ｃ）下層吸収体及び上層吸収体の積層状態をそれぞれ示す平面図である。
【図２１】（ａ）図１のＺ−Ｚ断面に相当する断面図、（ｂ）Ｘ−Ｘ断面に相当する図である。
【図２２】装着前及び装着後の状態の変化を示す概略断面図である。
【図２３】パッドタイプ使い捨ておむつの展開状態の内面側を示す平面図である。
【図２４】吸収体の平面図である。
【図２５】（ａ）図２３のＺ−Ｚ断面図、（ｂ）Ｘ−Ｘ断面図である。
【図２６】装着前及び装着後の状態の変化を示す概略断面図である。
【図２７】（ａ）図２３のＺ−Ｚ断面に相当する断面図、（ｂ）Ｘ−Ｘ断面に相当する図である。
【図２８】装着前及び装着後の状態の変化を示す概略断面図である。
【図２９】下層吸収体の各種変形例を示す平面図である。
【発明を実施するための形態】
【００３７】
以下、本発明の一実施形態について、添付図面に示されるパッドタイプ使い捨ておむつの例を参照しながら詳説する。
図１〜図６は、パッドタイプ使い捨ておむつ２００を示している。このパッドタイプ使い捨ておむつ２００は、股間部Ｃ２と、その前後両側に延在する前側部分Ｆ２及び後側部分Ｂ２とを有するものである。各部の寸法は適宜定めることができ、例えば、おむつ全長Ｌ（前後方向長さ）は３５０〜７００ｍｍ程度、おむつ全幅Ｗ１は１３０〜４００ｍｍ程度とすることができ、この場合における股間部Ｃ２の前後方向長さは１０〜１５０ｍｍ程度、前側部分Ｆ２の前後方向長さは５０〜３５０ｍｍ程度、及び後側部分Ｂ２の前後方向長さは５０〜３５０ｍｍ程度とすることができる。なお、「股間部」とは使用時に身体の股間と対応させる部分を意味し、製品によって、図示形態のように物品の前後方向中央若しくはその近傍から前側の所定部位までの範囲であったり、物品の前後方向中央の所定範囲であったりするものである。図示形態のように、物品の前後方向中間あるいは吸収体の前後方向中間に幅の狭い括れ部分を有する場合は、「股間部」は括れ部分の最小幅部位を前後方向中央とする所定の前後方向範囲を意味する。また、「前側部分（腹側部分）」は股間部よりも前側の部分を意味し、「後側部分（背側部分）」は股間部よりも後側の部分を意味する。
【００３８】
パッドタイプ使い捨ておむつ２００は、液不透過性シート２１と、液透過性トップシート２２との間に、吸収体２３が介在された基本構造を有している。なお、図中の点模様部分は各構成部材を接合する接合部分を示しており、ホットメルト接着剤などのベタ、ビード、カーテン、サミット又はスパイラル塗布などにより形成されるものである。
【００３９】
（液不透過性シート・外装シート）
吸収体２３の裏側には、液不透過性シート２１が吸収体２３の周縁より若干食み出すように設けられている。液不透過性シート２１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸又は二軸方向に延伸することにより得られる微多孔性シートを用いることができる。
【００４０】
また、液不透過性シート２１の外面は、不織布からなる外装シート２６により被覆することができ、この場合、液不透過性シート２１の幅を吸収体２３の幅と同程度とすることができる。外装シート２６としては各種の不織布を用いることができる。不織布を構成する素材繊維としては、ポリエチレン又はポリプロピレン等のオレフィン系、ポリエステル系、アミド系等の合成繊維の他、レーヨンやキュプラ等の再生繊維、綿等の天然繊維を用いることができる。
【００４１】
（液透過性トップシート）
吸収体２３の表側は、液透過性トップシート２２により覆われている。図示形態ではトップシート２２の側縁から吸収体２３が一部食み出しているが、吸収体２３の側縁が食み出さないようにトップシート２２の幅を広げることもできる。トップシート２２としては、有孔又は無孔の不織布や穴あきプラスチックシートなどが用いられる。不織布を構成する素材繊維としては、ポリエチレン又はポリプロピレン等のオレフィン系、ポリエステル系、アミド系等の合成繊維の他、レーヨンやキュプラ等の再生繊維、綿等の天然繊維を用いることができる。
【００４２】
トップシート２２と吸収体２３との間には、中間シート２５を介在させるのが望ましい。この中間シート２５は、吸収体２３により吸収した尿の逆戻りを防止するために設けられるものであり、保水性が低く、且つ液透過性の高い素材、例えば不織布やメッシュフィルム等を用いるのが望ましい。トップシート２２の前端を０％としトップシート２２の後端を１００％としたとき、中間シート２５の前端は０〜１１％の範囲に位置しているのが好ましく、中間シート２５の後端は９２〜１００％の範囲に位置しているのが好ましい。また、中間シート２５の幅２５ｗは吸収体２３の幅Ｗ２の５０〜９０％程度であるのが好ましい。
【００４３】
（エンドフラップ部・サイドフラップ部）
パッドタイプ使い捨ておむつ２００の前後方向両端部では、外装シート２６および液透過性トップシート２２が吸収体２３の前後端よりも前後両側にそれぞれ延在されて貼り合わされ、吸収体２３の存在しないエンドフラップ部ＥＦが形成されている。パッドタイプ使い捨ておむつ２００の両側部では、外装シート２６が吸収体２３の側縁よりも外側にそれぞれ延在され、この延在部からトップシート２２の側部までの部分の内面には側部立体ギャザーシート３１の幅方向外側の部分３４が前後方向全体にわたり貼り付けられ、吸収体２３の存在しないサイドフラップ部ＳＦを構成している。これら貼り合わせ部分は、ホットメルト接着剤、ヒートシール、超音波シールにより形成できる。外装シート２６を設けない場合、外装シート２６に代えて液不透過性シート２１をサイドフラップ部ＳＦまで延在させ、サイドフラップ部ＳＦの外面側を形成することができる。
【００４４】
（側部立体ギャザー）
表面における両側部には、前後方向に延在する側部立体ギャザー３０がそれぞれ設けられている。側部立体ギャザー３０は上述の側部立体ギャザーシート３１により形成されている。側部立体ギャザーシート３１の幅方向中央側の部分３２はトップシート２２上にまで延在しており、その幅方向中央側の端部には、側部立体ギャザー弾性伸縮部材３３が前後方向に沿って伸長状態でホットメルト接着剤等により固定されている。
【００４５】
側部立体ギャザーシート３１の素材としては、プラスチックシートやメルトブローン不織布を使用することもできるが、肌への感触性の点で、不織布にシリコンなどにより撥水処理をしたものが好適に使用される。この側部立体ギャザー弾性伸縮部材３３としては、糸状、紐状、帯状等の細長状に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。また、各平面ギャザー弾性伸縮部材７の固定時の伸長率は１７０〜２００％程度であるのが好ましい。なお、用語「伸長率」は自然長を１００％としたときの値である。
【００４６】
また、側部立体ギャザーシート３１は、幅方向外側の部分３４が前後方向全体にわたりおむつ内面（図示形態ではトップシート２２表面および外装シート２６内面）に貼り合わされて固定部分３４とされるとともに、幅方向中央側の部分３２がこの固定部分から突出する突出部分３２とされている。そして、この突出部分３２のうち、前後方向の両端部では倒伏状態でおむつ表面（図示形態ではトップシート２２表面）に貼り合わされて非起立部３５とされ、かつこれら非起立部３５間の部分はおむつ表面（図示形態ではトップシート２２表面）に固定されていない起立部３６とされている。この起立部３６は、側部立体ギャザー弾性伸縮部材３３の収縮力が作用することにより、図４に二点差線で示されるように、おむつ表面（図示形態ではトップシート２２表面）から起立して鼠径部等に接触する部分であり、その起立基端３７は側部立体ギャザーシート３１における固定部分３４と突出部分３２との境に位置する。
【００４７】
（平面ギャザー）
サイドフラップ部ＳＦの前後方向中間部には、側部立体ギャザーシート３１と液不透過性シート２１との間（液不透過性シート２１と外装シート２６との間でも良い）に細長状の平面ギャザー弾性伸縮部材２７が前後方向に沿って伸長状態でホットメルト接着剤等により固定されており、この平面ギャザー弾性伸縮部材２７の収縮によりサイドフラップ部ＳＦにはいわゆる平面ギャザーが形成されている。この平面ギャザーにより、おむつの側部が弾性伸縮して脚周りにフィットするようになる。
【００４８】
左右各側における平面ギャザー弾性伸縮部材２７の本数は適宜定めることができるが、１〜１０本程度、より好ましくは２〜５本程度が適当であり、複数本とする場合には、その間隔は２〜１５ｍｍ程度、特に６〜１０ｍｍ程度とするのが好ましい。また、各平面ギャザー弾性伸縮部材２７としては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができ、太さとしては５００〜１５００ｄｔｅｘ程度、天然ゴムの場合０．１〜３ｍｍ程度、特に０．５〜３ｍｍ程度が好ましい。また、各平面ギャザー弾性伸縮部材２７の固定時の伸長率は１５０〜２５０％程度であるのが好ましい。
【００４９】
（吸収体）
吸収体２３は、下層吸収体２３Ｂと、下層吸収体２３Ｂの上に設けられた上層吸収体２３Ａとからなる二層構造となっている。
【００５０】
下層吸収体２３Ｂ及び上層吸収体２３Ａとしては、パルプ繊維の積繊体、セルロースアセテート等のフィラメントの集合体、あるいは不織布を基本とし、必要に応じて粒子状等の高吸収性ポリマーを混合、固着等してなるものを用いることができる。下層吸収体２３Ｂ及び上層吸収体２３Ａにおける繊維目付け及び高吸収性ポリマーの目付けは適宜定めることができるが、それぞれ繊維目付けは１４０〜２３０ｇ／ｍ2程度とするのが好ましく、またそれぞれ高吸収性ポリマーの目付けは６０〜９０ｇ／ｍ2程度とするのが好ましい。高吸収性ポリマー粒子を混合する場合等、必要に応じて、下層吸収体２３Ｂ及び上層吸収体２３Ａは両者一体的に又は個別にクレープ紙等の包装シート２４（図１、図７、図９参照）により包むことができる。
【００５１】
また、吸収体２３の外形は、相対的に前側の部分が後側の部分よりも幅広な帯状、あるいは長方形状、台形状等、適宜の形状とすることもできるが、股間部Ｃ２を含む前後方向中間の所定部分が幅の狭い括れ部分２３ｎとして形成されていることが好ましい。この括れ部分２３ｎの最小幅Ｗ３は、括れ部分２３ｎの前後に位置する非括れ部分の幅（吸収体２３の全幅）Ｗ２の５０〜６５％程度であるのが好ましい。また、おむつ前端を０％としおむつ後端を１００％としたとき、括れ部分２３ｎの前端は１０〜２５％の範囲に位置しているのが好ましく、括れ部分２３ｎの後端は４０〜６５％の範囲に位置しているのが好ましく、括れ部分２３ｎの最小幅Ｗ３となる部位（最小幅部位）は２５〜３０％の範囲に位置しているのが好ましい。
【００５２】
吸収体を二層構造とする場合は、下層吸収体をより大きくすることが好ましいため、図示形態のように、下層吸収体により吸収体外形を形成し、かつその形を上述のような括れ形状とし、上層吸収体の外形については括れ部分２３ｎの幅よりも狭い長方形状とすることが好ましい。
【００５３】
吸収体２３は、股間部Ｃ２の前側から股間部Ｃ２を経て股間部Ｃ２の後側にかけて延在されているが、股間部Ｃ２から股間部Ｃ２の後側にかけて設けられていれば良い。特に男性用途を考慮するならば、陰嚢配置領域Ｃ１の前側から後側にかけて設けられていることが望ましい。ここで、「陰嚢配置領域Ｃ１」とは、装着者の陰嚢が配置される前後方向領域を意味し、従ってこれよりも前側が「陰嚢配置領域Ｃ１の前側の領域」となり、これよりも後側が「陰嚢配置領域Ｃ１の後側の領域」となる。通常の場合、陰嚢配置領域Ｃ１の前後方向長さは８０〜１００ｍｍ程度となる。
【００５４】
（表面窪み形成領域の第１の形態）
特徴的には、図１〜図４に示すように、下層吸収体２３Ｂにおける少なくとも股間部Ｃ２の幅方向中央部に、厚み方向に貫通する（つまり吸収体が無い）細長状の下層貫通部６０が前後方向に沿って延在されており、上層吸収体２３Ａには、少なくとも下層貫通部６０と対応する前後方向範囲内に、厚み方向に貫通する（つまり吸収体が無い）上層貫通部５０が設けられている。そして、上層貫通部５０は、下層貫通部６０上に位置し前後方向に延在する細長状の中間部分５１と、この中間部分５１における後側位置の幅方向両側に張り出した張出部分５２とを有しており、張出部分５２の側縁は、少なくとも前側の一部が後側に向かうにつれて幅方向外側に位置する形状とされている。
【００５５】
このような二層構造の吸収体２３では、下層貫通部６０及び上層貫通部５０の中間部分５１の重なり部分（第１窪み形成部）には吸収体２３が無く、上層貫通部５０の張出部分５２の部位（第２窪み形成部）は下層吸収体２３Ｂの一層構造となり、上層貫通部５０の張出部分５２の外側は上層吸収体２３Ａ及び下層吸収体２３Ｂの二層構造となる。図６〜図９に示すように、装着状態で使い捨ておむつが両脚間に挟まれて幅方向に圧縮（図７、図９の白抜き矢印参照）されたときには、下層貫通部６０及び上層貫通部５０の中間部分５１の重なり部分には吸収体２３が無いため、下層貫通部６０及び上層貫通部５０の両側縁は圧縮量に応じて接近し、使い捨ておむつの表面に細い溝７１が形成される。このとき、上層貫通部５０の張出部分５２に位置する一層構造部分２３ｗにも互いに接近する方向に力が作用するものの、上層貫通部５０の張出部分５２の側縁は少なくとも前側の一部が後側に向かうにつれて幅方向外側に位置する形状（つまり右側については右斜め後ろ向き、左側については左斜め後ろ向き）とされることにより、一層構造部分２３ｗが、二層構造部分との境界である上層貫通部５０の張出部分５２の側縁に沿って裏側に折れ曲がり易くなっているため、一層構造部分２３ｗがその幅方向外側の二層構造部分に対して裏側に折れ曲がり、これに伴い一層構造部分２３ｗの間の無吸収体部分が裏側に向かって落ち込み、図６及び図８に示すように、使い捨ておむつの表面にほぼ舟形の窪み７２が形成される。このような変形は、上層貫通部５０の張出部分５２が矩形状（つまり張出部分５２の側縁はコ字状）では起こり難いものである。そして、このような舟形の窪みは幅方向の圧縮に対して復元し易いだけでなく、裏側に折れ曲がった一層構造部分２３ｗが壁となって窪みの深さが維持されるため、表面間隙の維持性に優れる。排尿時には、当該窪み領域の前側に排泄された尿のうち吸収されずに表面を移動する分は、この大きな表面間隙を流路として後側に流れ、その過程で後側の吸収体２３により吸収される。よって、従来問題となっていた表面間隙の少なさによる拡散阻害を効果的に防止することができる。
【００５６】
下層貫通部６０の形状は細長上である限り、図示形態のように幅が前後方向に一定の長方形状とする他、幅が前後方向に変化する（例えば後に向かうにつれて幅が拡大する）形状とする等、適宜変更が可能である。下層貫通部６０の寸法は適宜定めることができるが、この種の使い捨ておむつを用いる標準的な成人を考慮すると、前後方向長さ６２は１８０〜２１０ｍｍ程度とするのが好ましい。また、下層貫通部６０の幅６１は適宜定めることができるが、余り広くないほうが後述する隙間の形状維持性が良いため、通常の場合は２０〜４０ｍｍ程度とするのが好ましい。図１１及び図１２に示すように、複数本の下層貫通部６０を幅方向に間隔空けて設けることもできる。また、図２９（ａ）に示すように、下層貫通部６０の前端を前方に例えば前側部分Ｆ２まで延長して、この延長部分６５から左斜め前及び右斜め前に延びる枝状貫通部６６を設けるとともに、下層貫通部６０の後端を後方に例えば後側部分Ｂ２まで延長して、この延長部分６５から左斜め後及び右斜め後に延びる枝状貫通部６６を設けたり、図２９（ｂ）に示すように、下層貫通部６０の前端から前方に例えば前側部分Ｆ２まで放射状に延びる放射状延長部６７を設けるとともに、下層貫通部６０の後端から後方に例えば後側部分Ｂ２まで放射状に延びる放射状延長部６７を設けたりすることもできる。図２９（ａ）（ｂ）に示す例では、延長部分６５及び枝状貫通部６６あるいは放射状延長部６７を前後両側に設けているが、図２９（ｃ）（ｄ）に示すように前後いずれか一方のみとすることもでき、また前後で形状を変える（例えば前後いずれか一方を延長部分６５及び枝状貫通部６６とし、他方を放射状延長部６７とする等）こともできる。
【００５７】
また、下層貫通部６０は、下層吸収体２３Ｂの前後方向中間に設けられている、つまり下層貫通部６０が下層吸収体２３Ｂの前後に突き抜けない配置とすることにより、吸収体２３全体としての剛性を確保することが望ましい。
【００５８】
一方、上層貫通部５０の寸法は適宜定めることができ、前後方向長さ（中間部分５１も同様となる）は図示形態のように下層貫通部６０と同じとする他、下層貫通部６０よりも短く又は長くすることもできる。
【００５９】
上層貫通部５０の中間部分５１の幅５５は、下層貫通部６０の幅６１以上であることが望ましく、張出部分５２を確保することも考慮すると、下層貫通部６０の幅６１の１．２〜１．５倍程度とすることが望ましい。上層貫通部５０の張出部分５２を有する部分の幅５６（中間部分５１の幅及び張出部分５２の幅の総和）は、窪みの寸法（主に壁の高さ）や窪みの形状維持性を考慮して定めることが望ましく、中間部分５１の幅５５の１．５〜２倍程度、より具体的には３６〜１２０ｍｍ程度とすることが望ましい。
【００６０】
上層貫通部５０の張出部分５２の前後方向位置は適宜定めることができ、図示例のように上層貫通部５０の後側位置を側方に拡張しても良いが、前後方向中間位置を側方に拡張して形成することも可能である。また、図示形態の上層貫通部５０の前側に中間部分５１を延長するとともに、その幅方向両側に、後側位置の張出部分５２と前後対称的な形状で張出部分を追加し、装着状態で一対の舟形の窪みが細い溝７１を長手方向に挟んで対向する（略砂時計状の窪みが形成される）ように構成しても良い。
【００６１】
上層貫通部５０の中間部分５１のうち張出部分５２の無い部分の形状は、図示形態のように幅が前後方向に一定の長方形状とする他、幅が前後方向に変化する（例えば後に向かうにつれて幅が拡大する）形状とする等、適宜変更が可能である。上層貫通部５０の張出部分５２の形状は、側縁形状が図示形態のような屈曲線状であっても、円弧状などの曲線状であっても良い。図示形態では、張出部分５２の側縁における少なくとも前側の一部が後側に向かうにつれて幅方向外側に位置する形状となるように、中間部分５１との境界を下底とし、後縁が下底と直交する台形状（張出部分５２及びその間の中間部分５１を含めた形状は５角形状）とされているが、図１０（ａ）に示すような台形状（張出部分５２及びその間の中間部分５１を含めた形状は六角形状）とすることもできる。また、張出部分５２の側縁の形状は、例えば図１３（ａ）に示すように、前側の一部が後側に向かうにつれて段階的に幅方向外側に位置する形状としたり、図１３（ｂ）に示すように、前側の一部が前側に向かうにつれて幅方向外側に位置する形状としたり、あるいは図１３（ｃ）に示すように矩形状としたりすることもできる。
【００６２】
上層貫通部５０の前後方向位置は適宜定めることができるが、前端（中間部分５１の前端）は下層貫通部６０の前端と同じかそれよりも前側に位置させることが好ましいが、それよりも後側に位置させることもできる。また、上層貫通部５０の後端は図示形態のように下層貫通部６０の後端と同じとするか、それよりも後側に位置させることが好ましいが、それよりも前側に位置させることも好ましい。後者の例として、図１０（ｂ）に示すように、下層貫通部６０を上層貫通部５０の後端よりも後側かつ股間部Ｃ２よりも後側に延在させた形態（符号６０ｘはこの延在部分を示している）を挙げることができ、この場合には尿が下層貫通部６０を通り上層吸収体２３Ａの下側に入ると、肌側への逆戻りが上層吸収体２３Ａにより遮断されることになる。
【００６３】
また、図示形態のように、上層貫通部５０の中間部分５１は上層吸収体２３Ａの前端まで延在され、かつ上層吸収体２３Ａの前端に開口されており、上層吸収体２３Ａの前端は、下層貫通部６０の前端と同じか後側に位置されていると、股間部Ｃ２が幅方向の圧縮されたとき、上層吸収体２３Ａの前側ほど、かつ上層貫通部５０の前側ほど圧縮され易くなり、その結果として、前述の舟形の窪みが形成され易くなるため好ましい。
【００６４】
図示例では、下層貫通部と重なる部位には吸収体が無いため、尿の拡散性は良好であるものの、下層貫通部により形成される通路が変形し易く、潰れるおそれもある。よって、図１４〜図１６に示すように、下層貫通部の底に、前後方向の尿の拡散を促進する拡散シート６３を設けると、下層貫通部による通路が維持され易くなり、下層貫通部を通じた前後方向の尿の拡散が促進されるようになる。
【００６５】
拡散シート６３は尿の前後方向拡散を促進できるものであれば、素材の種類は特に限定されないが、不織布やプラスチックシートなどを用いる他、セルロースアセテート等の合成繊維のトウ（繊維束）を必要に応じて開繊して得られるフィラメント集合体も使用できる。
不織布を構成する素材繊維としては、ポリエチレン又はポリプロピレン等のオレフィン系、ポリエステル系、アミド系等の合成繊維の他、レーヨンやキュプラ等の再生繊維、綿等の天然繊維を用いることができる。不織布の目付けは１０〜４０ｇ／ｍ2程度が好ましい。プラスチックシートを用いる場合は、表面へ前後方向に沿って溝状構造を設けたシートの他、複数のプラスチックシートを張り合わせて中空構造としたシート等を、用いることができる。また、不織布を基本とし、必要に応じて粒子状等の高吸収性ポリマーを混合、固着等してなるものを用いてもよい。
フィラメント集合体を用いる場合の繊維目付けとしては、３０〜１２０ｇ／ｍ2程度とすることができる。繊度は、１〜１６ｄｔｅｘ、好ましくは１〜１０ｄｔｅｘ、さらに好ましくは１〜５ｄｔｅｘである。フィラメントは、非捲縮繊維であってもよいが、捲縮繊維であるのが好ましい。捲縮繊維の捲縮度は、例えば、１インチ当たり５〜７５個、好ましくは１０〜５０個、さらに好ましくは１５〜５０個程度とすることができる。また、均一に捲縮した捲縮繊維を用いる場合が多い。
【００６６】
拡散シート６３は、下層貫通部６０の全体にわたり設けられているのが好ましいが、前後方向の一部、又は幅方向の一部等、一部のみに設けても良い。拡散シート６３は、下層貫通部の底に設けられる限り、図示形態のように、トップシート２２と液不透過性シート２１との間に設ける他、トップシート２２の表面に貼り付けることもできる。拡散シート６３を設ける場合、トップシート２２上からヒートエンボス加工等の加熱加圧加工を施し、トップシート及び拡散シート６３を直接又は間接的に融着させると、下層貫通部の底の剛性が高くなり、下層貫通部による通路が潰れ難くなるため好ましい。
【００６７】
（股間部立体ギャザー）
また、図示形態では、上層貫通部５０の側方から突出する突出部分４２が前後方向に延在されるとともに、この突出部分４２の前側及び後側に位置する部分がそれぞれ倒伏状態で固定された非起立部４５とされ、これら非起立部４５間の部分が非固定の起立部４６とされ、且つこの起立部４６にギャザー弾性伸縮部材４３が前後方向に伸長した状態で固定された股間部立体ギャザー４０が、表面の幅方向両側に設けられている。起立部４６は、ギャザー弾性伸縮部材４３の収縮力が作用することにより、図４に二点差線で示されるように、おむつ表面から立ち上がる部分である。
【００６８】
股間部立体ギャザー４０を設けない場合、上層貫通部５０及び下層貫通部６０により股間部Ｃ２の吸収量は低下せざるを得ず、尿が移動し易くなるため、側部立体ギャザー３０とは別に設けた方が好ましい。
【００６９】
股間部立体ギャザー４０は、専用のシートをおむつ表面に取り付けて形成しても良いが、図示形態のように、トップシート２２における上層貫通部５０より側方の部分を折り出して、突出部分４２を形成するのが好ましい。
【００７０】
股間部立体ギャザー４０を設ける場合、上層貫通部５０の張出部分５２が、前後方向において股間部立体ギャザー４０の非起立部４５間に位置していると（換言すれば上層貫通部５０の張出部分５２の幅方向位置と股間部立体ギャザー４０の非起立部４５の幅方向位置とが重なると）、股間部立体ギャザー４０のギャザー弾性伸縮部材４３の収縮力が一層構造部分２３ｗに効果的に作用し、前述の舟形窪みの形成が促進され、また窪みの形状維持性が向上するため好ましい。しかし、股間部立体ギャザー４０の非起立部４５が上層貫通部５０の張出部分５２より幅方向中央側又は外側に位置していても良い。
【００７１】
また、股間部立体ギャザー４０における突出部分４２の基端の幅方向位置は、図示形態のように、張出部分５２から側方に離間していることが望ましいが、張出部分５２の側縁に合わせたり、張出部分５２内に位置させたりすることもできる。特に、股間部立体ギャザー４０における突出部分４２の基端の幅方向位置は、展開状態で、上層貫通部５０の張出部分５２の外側で上層吸収体２３Ａ及び下層吸収体２３Ｂの二層構造部分上が最も好ましい。また、股間部立体ギャザー４０における突出部分４２の先端の幅方向位置は、展開状態で、一層構造部分２３ｗ上を通る位置とすることが最も好ましい。これらの配置とすることで、一層構造部分２３ｗが二層構造部分との境界である上層貫通部５０の張出部分５２の側縁に沿って裏側に折れ曲がりやすくなるため、舟形の窪み７２の形成及び維持がより良好となる。
【００７２】
股間部立体ギャザー４０におけるギャザー弾性伸縮部材４３の素材及び固定時の伸長率としては、側部立体ギャザー３０と同様の素材、範囲の中から適宜選択して用いることができる。股間部立体ギャザー４０を専用のシートをおむつ表面に取り付けて形成し、これとは別にトップシートを設けるにしても、また、図示形態のように、トップシート２２における上層貫通部５０より側方の部分を折り出して股間部立体ギャザー４０を形成するにしても、少なくとも股間部立体ギャザー４０間の領域、特に少なくとも表面窪み形成領域についてはトップシートを撥水性とすると、背側への拡散を促進させることができるため好ましい。
【００７３】
股間部立体ギャザー４０の各部の寸法は適宜定めることができるが、この種の使い捨ておむつを用いる標準的な成人を考慮すると、非起立部４５の前後方向間隔は１５０〜１８０ｍｍ程度とするのが好ましく、突出部分４２の基端の幅方向間隔は６０〜８０ｍｍ程度とするのが好ましい。また、側部立体ギャザー３０の起立部３６が、股間部立体ギャザー４０の起立部４６よりも前方及び後方にそれぞれ延在するように構成するのが好ましい。
【００７４】
図示例では、製造時に使い捨ておむつの前後方向に沿って素材を搬送しつつ組み立てる一般的な製造形態を考慮し、股間部立体ギャザー４０は使い捨ておむつの全長Ｌに及んでいる（ただし、非起立部４５の前後方向長さが側部立体ギャザー３０よりも長い）が、上層貫通部５０の張出部分５２を有する前後方向範囲を基準として、その前側近傍から後側近傍までの長さとしても良い。
【００７５】
（表面窪み形成領域の第２の形態）
第１の形態における下層吸収体２３Ｂの下層貫通部６０に代えて、図１７〜図１９に示すように、周囲よりも厚みの薄い（厚み方向に貫通しない）下層薄手部６４を形成しても、第１の形態と略同様の利点がもたらされる。すなわち、本第２の形態では、下層薄手部６４及び上層貫通部５０の中間部分５１の重なり部分（第１窪み形成部）は下層薄手部６４の一層構造となり、上層貫通部５０の張出部分５２の部位（第２窪み形成部）は下層吸収体２３Ｂの薄手部以外の部分２３ｗからなる一層構造となり、上層貫通部５０の張出部分５２の外側は上層吸収体２３Ａ及び下層吸収体２３Ｂの二層構造となる。装着状態で使い捨ておむつが両脚間に挟まれて幅方向に圧縮されたときには、上層貫通部５０の張出部分５２に位置する一層構造部分２３ｗにも互いに接近する方向に力が作用するものの、当該一層構造部分２３ｗが二層構造部分との境界である上層貫通部５０の張出部分５２の側縁に沿って裏側に折れ曲がり易いことによって、当該一層構造部分２３ｗはその幅方向外側の二層構造部分に対して裏側に折れ曲がり、これに伴い当該一層構造部分２３ｗの間の部分が裏側に向かって落ち込み、使い捨ておむつの表面に幅の広い窪みが形成される。そして、このような窪みは幅方向の圧縮に対して復元し易いだけでなく、裏側に折れ曲がった一層構造部分２３ｗが壁となって窪みの深さが維持されるため、窪みの維持性、ひいては表面間隙の維持性に優れる。したがって、本第２の形態においても、排尿時には、当該窪み領域の前側に排泄された尿のうち吸収されずに表面を移動する分は、この大きな表面間隙を流路として後側に流れ、その過程で後側の吸収体２３により吸収される。よって、従来問題となっていた表面間隙の少なさによる拡散阻害を効果的に防止することができる。
【００７６】
下層薄手部６４の厚みは特に限定されないが、薄手部以外の部分の厚みの１０〜５０％程度とすることができ、通常の場合１〜５ｍｍ程度とすることができる。下層薄手部は、その形成方法により限定されるものではなく、例えば周囲よりも目付を低下させることにより形成する他、厚み方向に圧縮する加工（必要に応じて加熱することもできる）により形成することができる。
【００７７】
その他は変形例も含めて第１の形態と同様であり、第１の形態の説明における下層貫通部６０を下層薄手部６４に読み替えるだけで済むため、これ以上の説明は敢えて省略する。
【００７８】
（表面窪み形成領域の第３の形態）
上記第１の形態の上層貫通部及び下層貫通部の形状を、図２１〜図２２に示すように上下逆にしても同様の利点がもたらされる。図２１〜図２２中の符号８０は上層貫通部、符号８１は上層貫通部８０の幅、符号８２は上層貫通部８０の前後方向長さ、符号９０は下層貫通部、符号９１は下層貫通部９０の中間部分、符号９２は下層貫通部９０の張出部分、符号９５は中間部分９１の幅、符号９６は下層貫通部９０の張出部分９２を有する部分の幅をそれぞれ示している。本第３の形態では、上層貫通部８０と下層貫通部９０の中間部分９１との重なり部分（第１窪み形成部）は吸収体２３が無い構造となり、下層貫通部９０の張出部分９２の部位（第２窪み形成部）は上層吸収体２３Ａの一層構造となり、下層貫通部９０の張出部分９２の外側は下層吸収体２３Ｂ及び上層吸収体２３Ａの二層構造となる。装着状態で使い捨ておむつが両脚間に挟まれて幅方向に圧縮されたときには、下層貫通部９０の張出部分９２に位置する一層構造部分２３ｗにも互いに接近する方向に力が作用するものの、当該一層構造部分２３ｗが二層構造部分との境界である下層貫通部９０の張出部分９２の側縁に沿って裏側に折れ曲がり易いことによって、当該一層構造部分２３ｗはその幅方向外側の二層構造部分に対して裏側に折れ曲がり、これに伴い当該一層構造部分２３ｗの間の部分が裏側に向かって落ち込み、使い捨ておむつの表面に幅の広い窪みが形成される。そして、このような窪みは幅方向の圧縮に対して復元し易いだけでなく、裏側に折れ曲がった一層構造部分２３ｗが壁となって窪みの深さが維持されるため、窪みの維持性、ひいては表面間隙の維持性に優れる。したがって、本項記載の発明においても、排尿時には、当該窪み領域の前側に排泄された尿のうち吸収されずに表面を移動する分は、この大きな表面間隙を流路として後側に流れ、その過程で後側の吸収体２３により吸収される。よって、従来問題となっていた表面間隙の少なさによる拡散阻害を効果的に防止することができる。
図示しないが、同様に第２の形態の上層貫通部５０及び下層薄手部６４の形状を上下逆にすることも可能である。
【００７９】
その他は変形例も含めて第１の形態及び第２の形態と同様であり、第１の形態及び第２の形態の説明における上下を読み替えるだけで済むため、これ以上の説明は敢えて省略する。
【００８０】
（表面窪み形成領域の第４の形態）
第１〜第３の形態は吸収体を二層構造として表面窪み形成領域を形成するものであるが、図２３〜図２６に示すように、一層構造の吸収体においても本発明の表面窪み形成領域を設けることにより同様の特徴を有する使い捨ておむつを得ることもできる。
【００８１】
より詳細には、図２３〜図２６に示す形態では、一層構造の吸収体２３における股間部Ｃ２の幅方向中央部に、前後方向に延在する細長状の第１窪み形成部２３１、及びこの第１窪み形成部２３１における前後方向中間位置又は後側位置の幅方向両側に張り出した第２窪み形成部２３２を有する表面窪み形成領域２３１，２３２が設けられており、第２窪み形成部２３２は周囲よりも厚みの薄い（厚み方向に貫通しない）薄手部とされ、第１窪み形成部２３１は厚み方向に貫通する貫通部とされている。
【００８２】
このような吸収体２３を備えた使い捨ておむつでは、装着状態で使い捨ておむつが両脚間に挟まれて幅方向に圧縮された状態になると、表面窪み形成領域２３１，２３２が幅方向中央から順におむつの外側に押し出されるように変形しつつ、おむつの表面に窪み７１，７２が形成される。このとき、表面窪み形成領域２３１，２３２のうち第１窪み形成部２３１のみからなる部分よりも、第１窪み形成部２３１及び第２窪み形成部２３２からなる部分の方が第２窪み形成部２３２の分だけ幅が広いために、より幅の広い窪み７２が形成される。しかも、この幅の広い窪み部分７２は薄手部によりある程度の剛性が確保されるため、窪み７２の形状及びの深さの維持性、ひいては表面間隙の維持性に優れるようになる。排尿時には、当該窪み７２領域及びその前側に排泄された尿のうち吸収されずに表面を移動する分は、この大きな表面間隙を流路として後側に流れ、その過程で後側の吸収体２３により吸収される。よって、従来問題となっていた表面間隙の少なさによる拡散阻害を効果的に防止することができる。
【００８３】
図２７及び図２８に示すように、第１窪み形成部２３１を貫通部とせずに、第２窪み形成部２３２よりも厚みの薄い薄手部とすることもできる。第１窪み形成部２３１が貫通部の場合、尿の拡散性は良好であるものの、第１窪み形成部２３１により形成される通路が変形し易く、潰れるおそれもある。よって、第１窪み形成部２３１を薄手部とすることで、第１窪み形成部２３１による通路が維持され易くなり、第１窪み形成部２３１を通じた前後方向の尿の拡散が促進されるようになる。
【００８４】
第２窪み形成部２３２の厚みは特に限定されないが、表面窪み形成領域２３１，２３２以外の部分の厚みの１０〜５０％程度とすることができ、通常の場合１〜５ｍｍ程度とすることができる。また、第１窪み形成部２３１を薄手部とする場合、その厚みは特に限定されないが、第２窪み形成部２３２の厚みの１０〜５０％程度とすることができ、通常の場合１〜５ｍｍ程度とすることができる。これらの薄手部は、その形成方法により限定されるものではなく、例えば周囲よりも目付を低下させることにより形成する他、厚み方向に圧縮する加工（必要に応じて加熱することもできる）により形成することができる。
【００８５】
第１窪み形成部２３１は、第１の形態における下層貫通部６０と同様の寸法形状とすることができる。すなわち、第１窪み形成部２３１の形状は細長上である限り、図示形態のように幅が前後方向に一定の長方形状とする他、幅が前後方向に変化する（例えば後に向かうにつれて幅が拡大する）形状とする等、適宜変更が可能である。第１窪み形成部２３１の寸法は適宜定めることができるが、この種の使い捨ておむつを用いる標準的な成人を考慮すると、前後方向長さ２３１Ｌは１８０〜２１０ｍｍ程度とするのが好ましい。また、第１窪み形成部２３１の幅２３１Ｗは適宜定めることができるが、余り広くないほうが窪み７２の形状維持性が良いため、通常の場合は２０〜４０ｍｍ程度とするのが好ましい。図１１及び図１２に示す下層貫通部６０と同様に、複数本の第１窪み形成部２３１を幅方向に間隔空けて設けることもできる。
【００８６】
また、第１窪み形成部２３１は、吸収体２３の前後方向中間に設けられている、つまり第１窪み形成部２３１が吸収体２３の前後に突き抜けない配置とすることにより、吸収体２３全体としての剛性を確保することが望ましい。
【００８７】
第２窪み形成部２３２は、第１の形態における上層貫通部５０の張出部分５２を有する部分と同様の寸法形状とすることができる。すなわち、第２窪み形成部２３２の幅２３２Ｗは、窪み７２の寸法（主に壁の高さ）や窪み７２の形状維持性を考慮して定めることが望ましく、第１窪み形成部２３１の幅２３１Ｗ及びその両側の第２窪み形成部２３２の幅２３２Ｗの総和が、第１窪み形成部２３１の幅２３１Ｗの１．５〜２倍程度、より具体的には３６〜１２０ｍｍ程度となるようにすることが望ましい。
【００８８】
第２窪み形成部２３２の前後方向位置は適宜定めることができ、図示例のように第１窪み形成部２３１の後側位置を側方に拡張しても良いが、前後方向中間位置を側方に拡張して形成することも可能である。また、図示しないが、第２窪み形成部２３２の前側に第１窪み形成部２３１を延長するとともに、その幅方向両側に、後側位置の第２窪み形成部２３２と前後対称的な形状で第３窪み形成部を追加し、装着状態で一対の舟形の窪みが細い溝を長手方向に挟んで対向する（略砂時計状の窪みが形成される）ように構成しても良い。
【００８９】
第２窪み形成部２３２の形状は、側縁形状が図示形態のような屈曲線状であっても、円弧状などの曲線状であっても良い。図示形態では、第２窪み形成部２３２の側縁における少なくとも前側の一部が後側に向かうにつれて幅方向外側に位置する形状となるように、第１窪み形成部２３１との境界を下底とし、後縁が下底と直交する台形状（第２窪み形成部２３２及びその間の第１窪み形成部２３１を含めた形状は５角形状）とされているが、図１０（ａ）に示す張出部分５２と同様な台形状（張出部分５２及びその間の中間部分５１を含めた形状は六角形状）とすることもできる。また、第２窪み形成部２３２の側縁の形状は、例えば図１３（ａ）に示す張出部分５２と同様に、前側の一部が後側に向かうにつれて段階的に幅方向外側に位置する形状としたり、図１３（ｂ）に示す張出部分５２と同様に、前側の一部が前側に向かうにつれて幅方向外側に位置する形状としたり、あるいは図１３（ｃ）に示す張出部分５２と同様に矩形状としたりすることもできる。
【００９０】
図２３〜図２６に示す例では、第１窪み形成部２３１と重なる部位には吸収体２３が無いため、尿の拡散性は良好であるものの、第１窪み形成部２３１により形成される通路が変形し易く、潰れるおそれもある。よって、第１の形態に倣って、第１窪み形成部２３１の底に、前後方向の尿の拡散を促進する拡散シート６３を設けると、第１窪み形成部２３１による通路が維持され易くなり、第１窪み形成部２３１を通じた前後方向の尿の拡散が促進されるようになる。拡散シート６３の素材や変形例については第１の形態と同様であるため、敢えて説明を省略する。
【００９１】
第１の形態と同様に股間部立体ギャザー４０を設ける場合、第２窪み形成部２３２が、前後方向において股間部立体ギャザー４０の非起立部４５間に位置していると（換言すれば第２窪み形成部２３２の幅方向位置と股間部立体ギャザー４０の非起立部４５の幅方向位置とが重なると）、股間部立体ギャザー４０のギャザー弾性伸縮部材４３の収縮力が第２窪み形成部２３２に効果的に作用し、前述の窪み形成が促進され、また窪みの形状維持性が向上するため好ましい。しかし、股間部立体ギャザー４０の非起立部４５がは第２窪み形成部２３２より幅方向中央側又は外側に位置していても良い。
【００９２】
また、股間部立体ギャザー４０における突出部分４２の基端の幅方向位置は、図示形態のように、第２窪み形成部２３２から側方に離間していることが望ましいが、張出部分５２の側縁に合わせたり、張出部分５２内に位置させたりすることもできる。また、股間部立体ギャザー４０における突出部分４２の先端の幅方向位置は、展開状態で、第２窪み形成部２３２上を通る位置とすることが最も好ましい。これらの配置とすることで、第２窪み形成部２３２がその側縁に沿って裏側に折れ曲がりやすくなるため、窪み７２の形成及び維持がより良好となる。その他は、第１の形態における股間部立体ギャザー４０と同様であるため、敢えて説明を省略する。
【００９３】
（その他）
以上に説明した第１〜第４の形態では、吸収体２３を二層構造とするか、又は一層構造としているが、三層以上とすることもできる。また、本発明の範囲内において、表面窪み形成領域２３１，２３２は、貫通部、薄手部（圧縮加工、低目付）、吸収体２３の積層数のいずれか一つ又は複数を組み合わせて形成することができる。よって、例えば複数層構造の吸収体２３において、貫通部を設けることなく、第４の形態のような薄手部のみを設けることも本発明に含まれる。
表面窪み形成領域２３１，２３２は、股間部Ｃ２の前後方向範囲内に設けられていれば良いが、特に第１窪み形成部２３１は陰嚢配置領域Ｃ１の前側から後側まで延び、第２窪み形成部２３２は陰嚢配置領域Ｃ１内の前後方向中央位置又はこれよりも後方位置から後方に延びていることが望ましい。また、図示形態のように、吸収体２３の前後方向中間に幅の狭い括れ部分２３ｎを有する場合は、その括れ部分２３ｎの幅が後方に向かうにつれて拡大する前後方向範囲内まで、又はそれよりも後方まで、第１窪み形成部２３１及び第２窪み形成部２３２が延びていることが好ましい。
【００９４】
＜明細書中の用語の説明＞
明細書中の以下の用語は、明細書中に特に記載が無い限り、以下の意味を有するものである。
・「目付け」は次のようにして測定されるものである。すなわち、試料から１００ｍｍ×１００ｍｍ（±２ｍｍ）の寸法を、ロールカッターで切り取る。試料の重量を測定し、１平米あたりの重さを算出し、目付けとする。
・「厚み」は、株式会社尾崎製作所の厚み測定器（ピーコック、ダイヤルシックネスゲージ大型タイプ、型式Ｊ−Ｂ（測定範囲０〜３５ｍｍ）又は型式Ｋ−４（測定範囲０〜５０ｍｍ））を用い、試料と厚み測定器を水平にして、測定する。
【産業上の利用可能性】
【００９５】
本発明は、パッドタイプ、パンツタイプ若しくはテープタイプ等、使い捨ておむつ全般に利用できるものである。
【符号の説明】
【００９６】
Ｂ２…後側部分、Ｃ１…陰嚢配置領域、Ｃ２…股間部、Ｆ２…前側部分、  ２１…液不透過性シート、２２…トップシート、２３…吸収体、２３Ａ…上層吸収体、２３Ｂ…下層吸収体、２３ｎ…括れ部分、２３ｗ…一層構造部分、２５…中間シート、２６…外装シート、３０…側部立体ギャザー、３１…側部立体ギャザーシート、３３…ギャザー弾性伸縮部材、４０…股間部立体ギャザー、４２…突出部分、４３…ギャザー弾性伸縮部材、５０…上層貫通部、５１…中間部分、５２…張出部分、６０…下層貫通部、６３…拡散シート、６４…下層薄手部、２３１…第１窪み形成部、２３２…第２窪み形成部、２３１，２３２…表面窪み形成領域。
【図１】
0006052738.tif 000002
【図２】
0006052738.tif 000003
【図３】
0006052738.tif 000004
【図４】
0006052738.tif 000005
【図５】
0006052738.tif 000006
【図６】
0006052738.tif 000007
【図７】
0006052738.tif 000008
【図８】
0006052738.tif 000009
【図９】
0006052738.tif 000010
【図１０】
0006052738.tif 000011
【図１１】
0006052738.tif 000012
【図１２】
0006052738.tif 000013
【図１３】
0006052738.tif 000014
【図１４】
0006052738.tif 000015
【図１５】
0006052738.tif 000016
【図１６】
0006052738.tif 000017
【図１７】
0006052738.tif 000018
【図１８】
0006052738.tif 000019
【図１９】
0006052738.tif 000020
【図２０】
0006052738.tif 000021
【図２１】
0006052738.tif 000022
【図２２】
0006052738.tif 000023
【図２３】
0006052738.tif 000024
【図２４】
0006052738.tif 000025
【図２５】
0006052738.tif 000026
【図２６】
0006052738.tif 000027
【図２７】
0006052738.tif 000028
【図２８】
0006052738.tif 000029
【図２９】
0006052738.tif 000030